(57)【要約】  本発明は、第１熱交換器及び第２熱交換器を備えた空気調和機の室内機において、第１熱交換器の撥水度合いが増加した場合でも、露飛びを従来よりも抑制できる空気調和機の室内機を得ることを目的とする。  本発明に係る空気調和機の室内機は、前方へ向かって下側へ傾く第１熱交換器と、前記第１熱交換器の下方に設けられた第２熱交換器と、前記第２熱交換器の下方に設けられたドレンパンと、前記第１熱交換器と前記第２熱交換器との間、及び前記第１熱交換器の一部を前側から覆う閉塞部材と、を備え、前記第１熱交換器は、少なくとも１つの熱交換部を有し、前記閉塞部材の上端は、最も前側に配置された前記熱交換部の下端の前端よりも高い。
2019180818.tif 000002
【特許請求の範囲】
【請求項１】
前方へ向かって下側へ傾く第１熱交換器と、  前記第１熱交換器の下方に設けられた第２熱交換器と、  前記第２熱交換器の下方に設けられたドレンパンと、  前記第１熱交換器と前記第２熱交換器との間、及び前記第１熱交換器の一部を前側から覆う閉塞部材と、  を備え、  前記第１熱交換器は、少なくとも１つの熱交換部を有し、  前記閉塞部材の上端は、最も前側に配置された前記熱交換部の下端の前端よりも高い空気調和機の室内機。
【請求項２】
前記熱交換部は、  左右方向に間隔を空けて並べられた複数の第１伝熱フィンと、  複数の前記第１伝熱フィンを貫通する複数の第１伝熱管と、  を備えている請求項１に記載の空気調和機の室内機。
【請求項３】
前記閉塞部材の前記上端は、最も前側に配置された前記熱交換部において最も下方に配置された前記第１伝熱管よりも高い請求項２に記載の空気調和機の室内機。
【請求項４】
前記第２熱交換器は、  左右方向に間隔を空けて並べられた複数の第２伝熱フィンと、  複数の前記第２伝熱フィンを貫通する複数の第２伝熱管と、  を備え、  前記閉塞部材は、複数の前記第１伝熱管及び複数の前記第２伝熱管のうちの少なくとも２つに引っ掛かり、該閉塞部材を固定する爪部を備えている請求項２又は請求項３に記載の空気調和機の室内機。
【請求項５】
前記閉塞部材は、樹脂及び金属のうちの少なくとも一方で形成されている請求項１〜請求項４のいずれか一項に記載の空気調和機の室内機。
【請求項６】
前記閉塞部材における前記上端を含む一部の範囲は、上方へ向かうにしたがって後方へ傾斜している請求項１〜請求項５のいずれか一項に記載の空気調和機の室内機。
【発明の詳細な説明】
【技術分野】
【０００１】  本発明は、露飛びの防止を図った空気調和機の室内機に関する。
【背景技術】
【０００２】  空気調和機の室内機は、筐体内に室内熱交換器を備えている。この室内熱交換器は、筐体内のレイアウト等の観点から、様々な構成が提案されている。例えば、従来の室内熱交換器としては、ファンの上方に配置された第１熱交換器と、ファンの前方に配置された第２熱交換器とを備えたものが知られている（特許文献１参照）。詳しくは、第１熱交換器は、ファンの斜め前方向の上方において、前方へ向かって下側へ傾くように設けられている。第２熱交換器は、ファンの前方において、第１熱交換器の下方に設けられている。また、特許文献１に記載の室内機では、第１熱交換器と第２熱交換器との間、及び第２熱交換器の一部を前側から覆うシール部材も設けられている。特許文献１に記載の室内機のシール部材は、第２熱交換器の風量を調節するものである。
【先行技術文献】
【特許文献】
【０００３】
【特許文献１】特開２００５−２１４５６１号公報
【発明の概要】
【発明が解決しようとする課題】
【０００４】  室内熱交換器が蒸発器として機能する際、ファンによって筐体内に吸い込まれた室内空気は、室内熱交換器を流れる冷媒によって冷却される。この際、室内空気中の水分が室内熱交換器に結露し、室内熱交換器に露が付着する。通常、上述のような第１熱交換器及び第２熱交換器を備えた室内熱交換器が搭載された室内機においては、第１熱交換器に付着した露は、該第１熱交換器を伝って流れ落ちて第２熱交換器に渡り、第２熱交換器に付着する。そして、第２熱交換器に付着した露は、第２熱交換器を伝って流れ落ち、該第２熱交換器の下方に配置されたドレンパンに排出される。また、ドレンパンに排出された露は、配管等を介して、屋外へ排出される。【０００５】  ここで、例えば、室内機が設置されている室内においてヘアスプレー等のような撥水機能を有するスプレーを大量に使ってしまう等の環境要因により、室内熱交換器の撥水度合いが増加してしまう場合がある。このような場合、上述のような第１熱交換器及び第２熱交換器を備えた室内熱交換器が搭載された従来の室内機においては、第１熱交換器の撥水度合いが増加し、第１熱交換器を伝って落下する露の速度が、大きくなる。このため、第１熱交換器を伝って落下する露は、第２熱交換器に渡ることができずに、第２熱交換器の前方へ飛び出してしまう。そして、第２熱交換器の前方へ飛び出した露は、ドレンパンで受けることができない。このため、上述のような第１熱交換器及び第２熱交換器を備えた従来の室内機においては、第２熱交換器の前方へ飛び出した露が室内へ飛び出してしまい、所謂露飛びが発生してしまうという課題があった。【０００６】  本発明は、上述の課題を解決するためになされたものであり、上述のような第１熱交換器及び第２熱交換器を備えた空気調和機の室内機において、第１熱交換器の撥水度合いが増加した場合でも、露飛びを従来よりも抑制できる空気調和機の室内機を得ることを目的とする。
【課題を解決するための手段】
【０００７】  本発明に係る空気調和機の室内機は、前方へ向かって下側へ傾く第１熱交換器と、前記第１熱交換器の下方に設けられた第２熱交換器と、前記第２熱交換器の下方に設けられたドレンパンと、前記第１熱交換器と前記第２熱交換器との間、及び前記第１熱交換器の一部を前側から覆う閉塞部材と、を備え、前記第１熱交換器は、少なくとも１つの熱交換部を有し、前記閉塞部材の上端は、最も前側に配置された前記熱交換部の下端の前端よりも高い。
【発明の効果】
【０００８】  本発明に係る空気調和機の室内機においては、第１熱交換器の撥水度合いが増加し、第１熱交換器を伝って落下する露が第２熱交換器の前方へ飛び出そうとしても、第２熱交換器の前方へ飛び出そうとする露は、閉塞部材にぶつかる。そして、閉塞部材にぶつかった露は、閉塞部材を伝って流れ落ちて第２熱交換器に渡り、第２熱交換器に付着する。そして、第２熱交換器に付着した露は、第２熱交換器を伝って流れ落ち、該第２熱交換器の下方に配置されたドレンパンに排出される。したがって、本発明に係る空気調和機の室内機は、第１熱交換器の撥水度合いが増加した場合でも、露飛びを従来よりも抑制できる。
【図面の簡単な説明】
【０００９】
【図１】本発明の実施の形態１に係る空気調和機の室内機を正面側から見た斜視図である。
【図２】本発明の実施の形態１に係る空気調和機の室内機を正面側から見た斜視図であり、筐体の前方部分を取り外した状態を示す図である。
【図３】本発明の実施の形態１に係る空気調和機の室内機の内部構造を側方から見た図である。
【図４】本発明の実施の形態１に係る空気調和機の室内機の閉塞部材を正面側から見た斜視図である。
【図５】本発明の実施の形態１に係る空気調和機の室内機の閉塞部材を背面側から見た斜視図である。
【図６】本発明の実施の形態１に係る空気調和機の室内機において閉塞部材が室内熱交換器に固定されている状態を示す図であり、閉塞部材の第１爪部近傍を正面側から見た斜視図である。
【図７】本発明の実施の形態１に係る空気調和機の室内機において閉塞部材が室内熱交換器に固定されている状態を示す図であり、閉塞部材の第２爪部近傍を側方から見た図である。
【図８】従来のシール部材を備えた空気調和機の室内機における露の排出動作を説明するための図である。
【図９】本発明の実施の形態１に係る空気調和機の室内機における露の排出動作を説明するための図である。
【図１０】本発明の実施の形態２に係る空気調和機の室内機の内部構造を側方から見た図である。
【発明を実施するための形態】
【００１０】  以下、各実施の形態において、本発明に係る空気調和機の室内機の一例について説明する。なお、以下では、空調対象空間である部屋の壁に取り付けられる壁掛式室内機を例に、本発明に係る空気調和機の室内機の一例について説明する。
【００１１】実施の形態１．  図１は、本発明の実施の形態１に係る空気調和機の室内機を正面側から見た斜視図である。図２は、本発明の実施の形態１に係る空気調和機の室内機を正面側から見た斜視図であり、筐体の前方部分を取り外した状態を示す図である。また、図３は、本発明の実施の形態１に係る空気調和機の室内機の内部構造を側方から見た図である。なお、図３では、紙面左側が室内機１００の正面側となる。
【００１２】  空気調和機の室内機１００は、例えば略直方体の筐体１を備えている。筐体１の上面部には、吸込口２が形成されている。筐体１の前面部の下部には、吹出口３が形成されている。また、筐体１の内部には、ファン４及び室内熱交換器５等が収納されている。
【００１３】  本実施の形態１では、ファン４としてクロスフローファンを用いている。ファン４は、ケーシング６で囲われている。このケーシング６は、前方から上部にかけて設けられた開口部と、下部に設けられた開口部とを有する。また、ケーシング６の下部の開口部は、上述の吹出口３に連通している。ファン４が回転すると、吸込口２から筐体１内へ室内空気が吸い込まれる。筐体１内に吸い込まれた室内空気は、ケーシング６の前方から上部にかけて設けられた開口部から、ケーシング６内に吸い込まれる。ケーシング６内に吸い込まれた室内空気は、ケーシング６の下部の開口部を通り、吹出口３から室内へ吹き出される。なお、ファン４として、クロスフローファン以外のファンを用いてもよい。
【００１４】  室内熱交換器５は、ファン４の回転によって筐体１内に発生する気流の流れ方向においてファン４の上流側となる箇所に、側面視においてファン４を囲むように設けられている。この室内熱交換器５は、第１熱交換器１０及び第２熱交換器２０を備えている。第１熱交換器１０は、ファン４の斜め前方向の上方において、前方へ向かって下側へ傾くように設けられている。第２熱交換器２０は、ファン４の前方において、第１熱交換器１０の下方に設けられている。また、第２熱交換器２０の下方には、第１熱交換器１０及び第２熱交換器２０に発生した露を受けるドレンパン７が設けられている。なお、本実施の形態１に係る室内熱交換器５は、第３熱交換器３０も備えている。第３熱交換器３０は、ファン４の斜め後ろ方向の上方において、後方へ向かって下側へ傾くように設けられている。
【００１５】  第１熱交換器１０は、少なくとも１つの熱交換部を有している。本実施の形態１では、第１熱交換器１０は、第１熱交換部１１及び第２熱交換部１２を有している。第２熱交換部１２は、第１熱交換部１１の前側に配置されている。すなわち、本実施の形態１では、第２熱交換部１２が、第１熱交換器１０を構成する熱交換部のうちで、最も前側に配置された熱交換部となる。なお、第１熱交換器１０を１つの熱交換部で構成してもよいし、第１熱交換器１０を前後方向に並ぶ３つ以上の熱交換部で構成してもよい。第１熱交換器１０を１つの熱交換部で構成する場合、当該熱交換部が、第１熱交換器１０を構成する熱交換部のうちで最も前側に配置された熱交換部となる。
【００１６】  本実施の形態１では、第１熱交換部１１及び第２熱交換部１２は、フィンチューブ型の熱交換部となっている。詳しくは、第１熱交換部１１及び第２熱交換部１２は、複数の第１伝熱フィン１５と、内部に冷媒が流れる複数の第１伝熱管１６とを備えている。複数の第１伝熱フィン１５は、左右方向に間隔を空けて並べられている。複数の第１伝熱管１６は、左右方向に延び、複数の第１伝熱フィン１５を貫通している。なお、第１熱交換部１１及び第２熱交換部１２は、フィンチューブ型以外の構成の熱交換部であってもよい。
【００１７】  本実施の形態１では、第２熱交換器２０は、フィンチューブ型の熱交換器となっている。詳しくは、第２熱交換器２０は、複数の第２伝熱フィン２１と、内部に冷媒が流れる複数の第２伝熱管２２とを備えている。複数の第２伝熱フィン２１は、左右方向に間隔を空けて並べられている。複数の第２伝熱管２２は、左右方向に延び、複数の第２伝熱フィン２１を貫通している。なお、第２熱交換器２０は、フィンチューブ型以外の構成の熱交換器であってもよい。また、本実施の形態１では第２熱交換器２０を１つの熱交換部で構成しているが、第２熱交換器２０を２つ以上の熱交換部で構成してもよい。
【００１８】  さらに、本実施の形態１に係る室内機１００は、第１熱交換器１０と第２熱交換器２０との間、及び第１熱交換器１０の一部を前側から覆う閉塞部材５０を備えている。詳しくは、閉塞部材５０は、例えば略長方形状をした板状体である閉塞部５１を備えている。閉塞部５１は、第１熱交換器１０と第２熱交換器２０との間、及び第１熱交換器１０の一部を前側から覆っている。閉塞部５１の横幅は、第１熱交換器１０における第１伝熱フィン１５の配置範囲を覆う長さとなっている。また、閉塞部５１の上端５２は、第１熱交換器１０の第２熱交換部１２の下端１３の前端１４よりも高い位置となっている。換言すると、閉塞部５１の上端５２は、第１熱交換器１０を構成する熱交換部のうちで最も前側に配置された熱交換部の下端１３の前端１４よりも高い位置となっている。後述のように、本実施の形態１に係る室内機１００は、このような構成の閉塞部材５０を備えることにより、露が室内へ飛び出す現象である所謂露飛びを従来よりも抑制することができる。
【００１９】  なお、本実施の形態１に係る室内機１００では、閉塞部材５０により、従来よりも騒音を抑制している。このため、本実施の形態１では、閉塞部５１の上端５２は、第１熱交換器１０の第２熱交換部１２において最も下方に配置された第１伝熱管１６よりも高い位置となっている。換言すると、閉塞部５１の上端５２は、第１熱交換器１０を構成する熱交換部のうちで最も前側に配置された熱交換部において最も下方に配置された第１伝熱管１６よりも高い位置となっている。なお、図３では、第２熱交換部１２において最も下方に配置された第１伝熱管１６を、第１伝熱管１６ａとして示している。
【００２０】  ここで、本実施の形態１では、第１熱交換器１０の各熱交換部及び第２熱交換器２０をフィンチューブ型の熱交換器としている。このため、本実施の形態１では、以下のように、伝熱管を利用して閉塞部材５０を固定している。
【００２１】  図４は、本発明の実施の形態１に係る空気調和機の室内機の閉塞部材を正面側から見た斜視図である。図５は、本発明の実施の形態１に係る空気調和機の室内機の閉塞部材を背面側から見た斜視図である。図６は、本発明の実施の形態１に係る空気調和機の室内機において閉塞部材が室内熱交換器に固定されている状態を示す図であり、閉塞部材の第１爪部近傍を正面側から見た斜視図である。また、図７は、本発明の実施の形態１に係る空気調和機の室内機において閉塞部材が室内熱交換器に固定されている状態を示す図であり、閉塞部材の第２爪部近傍を側方から見た図である。なお、図７では、紙面左側が室内機１００の正面側となる。
【００２２】  閉塞部材５０は、第１熱交換器１０の複数の第１伝熱管１６及び第２熱交換器２０の複数の第２伝熱管２２のうちの少なくとも２つに引っ掛かり、該閉塞部材５０を固定する爪部５５を備えている。本実施の形態１では、爪部５５は、第１爪部５６及び第２爪部５７を備えている。
【００２３】  第１爪部５６は、爪５６ａ及び爪５６ｂを備えている。爪５６ａは、第１熱交換器１０における第１伝熱フィン１５の配置範囲の外側において、第１熱交換器１０の第１伝熱管１６に引っ掛かっている。換言すると、爪５６ａは、左右方向において最も外側に配置された第１伝熱フィン１５の外側において、第１熱交換器１０の第１伝熱管１６に引っ掛かっている。爪５６ｂは、第２熱交換器２０における第２伝熱フィン２１の配置範囲の外側において、第２熱交換器２０の第２伝熱管２２に引っ掛かっている。換言すると、爪５６ｂは、左右方向において最も外側に配置された第２伝熱フィン２１の外側において、第２熱交換器２０の第２伝熱管２２に引っ掛かっている。
【００２４】  第２爪部５７は、爪５７ａ及び爪５７ｂを備えている。爪５７ａは、第１熱交換器１０の隣接する第１伝熱フィン１５の間において、第１熱交換器１０の第１伝熱管１６に引っ掛かっている。爪５７ｂは、第２熱交換器２０の隣接する第２伝熱フィン２１の間において、第２熱交換器２０の第２伝熱管２２に引っ掛かっている。
【００２５】  １つの伝熱管のみに爪部５５の爪が引っ掛かっている場合、当該伝熱管を回転中心として閉塞部材５０が回転してしまい、閉塞部材５０を固定することができない。しかしながら、爪部５５の爪を２つ以上の伝熱管に引っ掛けることにより、閉塞部材５０を固定することができる。
【００２６】  続いて、本実施の形態１に係る室内機１００において室内熱交換器５の第１熱交換器１０に結露が発生した場合の、露の排出動作について説明する。なお、閉塞部材５０による露飛び抑制効果の認識を容易とするため、以下ではまず、本実施の形態１に係る室内機１００において閉塞部材５０に換えて従来のシール部材１５０を設けた場合の、露の排出動作を説明する。そして、その後に、本実施の形態１に係る室内機１００の露の排出動作を説明する。
【００２７】  図８は、従来のシール部材を備えた空気調和機の室内機における露の排出動作を説明するための図である。この図８に示している室内機は、本実施の形態１に係る室内機１００から閉塞部材５０を取り外し、閉塞部材５０に換えて従来のシール部材１５０を取り付けた室内機である。図８は、当該室内機の内部構造を側方から見た図となっている。なお、図８では、紙面左側が当該室内機の正面側となっている。
【００２８】  従来のシール部材１５０は、閉塞部材５０と同様に、第１熱交換器１０と第２熱交換器２０との間、及び第１熱交換器１０の一部を前側から覆う。しかしながら、従来のシール部材１５０の上端１５２は、閉塞部材５０の上端５２よりも低い位置となる。具体的には、従来のシール部材１５０の上端１５２は、第１熱交換器１０の第２熱交換部１２の下端１３の前端１４よりも低い位置となる。
【００２９】  室内熱交換器５が蒸発器として機能する際、ファン４によって筐体１内に吸い込まれた室内空気は、室内熱交換器５を流れる冷媒によって冷却される。この際、室内空気中の水分が室内熱交換器５に結露し、室内熱交換器５に露６０が付着する。通常、第１熱交換器１０に付着した露６０は、該第１熱交換器１０を伝って流れ落ちて第２熱交換器２０に渡り、第２熱交換器２０に付着する。そして、第２熱交換器２０に付着した露６０は、第２熱交換器２０を伝って流れ落ち、該第２熱交換器２０の下方に配置されたドレンパン７に排出される。また、ドレンパン７に排出された露６０は、図示せぬ配管等を介して、屋外へ排出される。
【００３０】  ここで、例えば、室内においてヘアスプレー等のような撥水機能を有するスプレーを大量に使ってしまう等の環境要因により、室内熱交換器５の撥水度合いが増加してしまう場合がある。このような場合、第１熱交換器１０の撥水度合いが増加し、第１熱交換器１０を伝って落下する露６０の速度が大きくなる。このため、第１熱交換器１０を伝って落下する露６０は、第２熱交換器２０に渡ることができずに、第２熱交換器２０の前方へ飛び出そうとする。
【００３１】  この際、従来のシール部材１５０は上端１５２の位置が低いので、第１熱交換器１０を伝って落下する露６０は、図８に破線矢印で示すように、第２熱交換器２０及びシール部材１５０を飛び越えてしまう。そして、第２熱交換器２０及びシール部材１５０の前方へ飛び出した露６０は、ドレンパン７で受けることができない。このため、第２熱交換器２０及びシール部材１５０の前方へ飛び出した露６０が室内へ飛び出してしまい、露飛びが発生してしまう。なお、ドレンパン７を前後方向に大きくすれば、第２熱交換器２０及びシール部材１５０の前方へ飛び出した露６０をドレンパン７で受けることも可能になるかもしれない。しかしながら、ドレンパン７を前後方向に大きくすると、筐体１の前後方向の寸法も大きくなってしまう。筐体１の大きさには制限があるため、露飛び抑制のためにドレンパン７を前後方向に大きくするのは、現実的ではない。
【００３２】  一方、閉塞部材５０を備えた本実施の形態１に係る室内機１００では、第１熱交換器１０に付着した露６０は、以下のように排出される。
【００３３】  図９は、本発明の実施の形態１に係る空気調和機の室内機における露の排出動作を説明するための図である。この図９は、本実施の形態１に係る室内機１００の内部構造を側方から見た図となっている。なお、図９では、紙面左側が本実施の形態１に係る室内機１００の正面側となっている。
【００３４】  上述のように、第１熱交換器１０の撥水度合いが増加した場合、第１熱交換器１０を伝って落下する露６０は、第２熱交換器２０の前方へ飛び出そうとする。この際、第１熱交換器１０を伝って落下する露６０は、第１熱交換器１０の下端から飛び出す。このため、第１熱交換器１０から飛び出す露６０のなかで最も高い位置から飛び出す露６０は、第１熱交換器１０の下端のなかで１番高い箇所から飛び出す露６０となる。すなわち、第１熱交換器１０から飛び出す露６０のなかで最も高い位置から飛び出す露６０は、第２熱交換部１２の下端１３の前端１４から飛び出す露６０となる。
【００３５】  ここで、上述のように、閉塞部５１の上端５２は、第１熱交換器１０の第２熱交換部１２の下端１３の前端１４よりも高い位置となっている。すなわち、閉塞部５１の上端５２は、第１熱交換器１０から飛び出す露６０のなかで最も高い位置から飛び出す露６０よりも高い位置となっている。このため、図９に破線矢印で示すように、本実施の形態１に係る室内機１００では、第１熱交換器１０を伝って落下する露６０が第２熱交換器２０の前方へ飛び出そうとしても、第２熱交換器２０の前方へ飛び出そうとする露６０は、閉塞部材５０にぶつかる。
【００３６】  そして、閉塞部材５０にぶつかった露６０は、閉塞部材５０を伝って流れ落ちて第２熱交換器２０に渡り、第２熱交換器２０に付着する。そして、第２熱交換器２０に付着した露６０は、第２熱交換器２０を伝って流れ落ち、該第２熱交換器２０の下方に配置されたドレンパン７に排出される。したがって、本実施の形態１に係る室内機１００は、第１熱交換器１０の撥水度合いが増加した場合でも、露飛びを従来よりも抑制できる。
【００３７】  なお、露６０の大きさを考慮し、閉塞部５１の上端５２を、第１熱交換器１０の第２熱交換部１２の下端１３の前端１４から露６０の大きさ以上高い位置とするのがより好ましい。例えば、露６０の大きさを５ｍｍとする。この場合、閉塞部５１の上端５２を、第１熱交換器１０の第２熱交換部１２の下端１３の前端１４から５ｍｍ以上高い位置とするのがより好ましい。これにより、閉塞部材５０でより確実に露６０を捕捉でき、露飛びをより抑制することができる。
【００３８】  また、本実施の形態１に係る室内機１００では、閉塞部材５０の閉塞部５１の上端５２は、第１熱交換器１０の第２熱交換部１２において最も下方に配置された第１伝熱管１６よりも高い位置となっている。このため、本実施の形態１に係る室内機１００では、ファン４から発生する騒音を従来よりも抑制することができる。
【００３９】  詳しくは、風量分布にばらつきがある不均一な気流がファン４に流入すると、ファン４から発生する騒音が増大する。本実施の形態１に係る室内機１００の場合、図８及び図９に矢印Ａで示す箇所は、ファン４の回転によって第１熱交換器１０を通過する気流の方向において、第１熱交換部１１のみが存在する。換言すると、図８及び図９に矢印Ａで示す箇所を通過する気流は、当該気流の方向に２列の第１伝熱管１６が配置された熱交換器を通ることとなる。一方、図８及び図９に矢印Ｂで示す箇所は、ファン４の回転によって第１熱交換器１０を通過する気流の方向において、第１熱交換部１１及び第２熱交換部１２が存在する。換言すると、図８及び図９に矢印Ｂで示す箇所を通過する気流は、当該気流の方向に３列の第１伝熱管１６が配置された熱交換器を通ることとなる。すなわち、矢印Ａの箇所は、矢印Ｂの箇所よりも空気抵抗が小さくなっている。
【００４０】  ここで、従来のシール部材１５０は、上述のように上端１５２の位置が低い。このため、図８に示すように、従来のシール部材１５０を設けた場合、矢印Ａの箇所を気流が通過する。この際、矢印Ａの箇所は矢印Ｂの箇所よりも空気抵抗が小さくなっているので、矢印Ａの箇所を流れる空気の流速は、矢印Ｂの箇所を流れる空気の流速よりも大きくなる。このため、矢印Ａの箇所を流れる空気の流量は、矢印Ｂの箇所を流れる空気の流量よりも大きくなる。したがって、従来のシール部材１５０を設けた場合、矢印Ａの箇所を通過した空気と矢印Ｂの箇所を通過した空気とがファン４に流入することとなる。このため、従来のシール部材１５０を設けた場合、風量分布にばらつきがある不均一な気流がファン４に流入することとなり、ファン４から発生する騒音が増大する。
【００４１】  一方、本実施の形態１に係る閉塞部材５０の閉塞部５１の上端５２は、第１熱交換器１０の第２熱交換部１２において最も下方に配置された第１伝熱管１６よりも高い位置となっている。すなわち、図９で示すように、本実施の形態１に係る閉塞部材５０の閉塞部５１は、矢印Ａの箇所を前方から覆う構成となっている。したがって、本実施の形態１に係る室内機１００においては、矢印Ｂの箇所を通過した空気がファン４に流入することとなる。このため、本実施の形態１に係る室内機１００においては、風量分布が従来よりも均一となった気流がファン４に流入することとなり、ファン４から発生する騒音を従来よりも抑制することができる。
【００４２】  なお、第１熱交換器１０の空気抵抗と第２熱交換器２０の空気抵抗とが異なる場合、空気抵抗が小さい側の熱交換器に多くの空気が流れようとする。例えば、本実施の形態１の場合、第２熱交換器２０は、ファン４の回転によって第２熱交換器２０を通過する気流の方向において、第２伝熱管２２が２列に配置された構成となっている。一方、第１熱交換器１０は、第１熱交換部１１と第２熱交換部１２とが並設された範囲では、ファン４の回転によって第１熱交換器１０を通過する気流の方向において、第１伝熱管１６が３列に配置された構成となっている。このため、本実施の形態１の場合、第２熱交換器２０の空気抵抗が第１熱交換器１０の空気抵抗よりも小さい。したがって、第１熱交換器１０よりも第２熱交換器２０の方に、多くの空気が流れようとする。
【００４３】  このため、第２熱交換器２０を通る空気の流量と第１熱交換器１０を通る空気の流量との差により、風量分布にばらつきがある不均一な気流がファン４に流入し、ファン４から発生する騒音が増大する場合もある。この場合、図３及び図９に示すように、閉塞部材５０によって第２熱交換器２０の一部を前側から覆い、第２熱交換器２０に空気が流れづらくなる構成とすればよい。これにより、ファン４に流入する空気の風量分布のばらつきを抑制でき、ファン４から発生する騒音を従来よりも抑制することができる。なお、ファン４に流入する空気の風量分布のばらつきを抑制するために必要な第２熱交換器２０を覆う範囲は、ファン４の能力によって異なる。このため、閉塞部材５０の閉塞部５１の下端５３の位置は、ファン４の能力によって異なることとなる。
【００４４】  なお、閉塞部材５０の材質は、特に限定されるものではないが、ファン４の回転によって発生する気流によって変形しないものが好ましい。例えば、閉塞部材５０の材質としては、樹脂又は金属が好ましい。すなわち、閉塞部材５０は、樹脂及び金属のうちの少なくとも一方で形成されていることが好ましい。
【００４５】  以上、本実施の形態１に係る空気調和機の室内機１００は、第１熱交換器１０と、第２熱交換器２０と、ドレンパン７と、閉塞部材５０とを備えている。第１熱交換器１０は、前方へ向かって下側へ傾いている。第２熱交換器２０は、第１熱交換器１０の下方に設けられている。ドレンパン７は、第２熱交換器２０の下方に設けられている。閉塞部材５０は、第１熱交換器１０と第２熱交換器２０との間、及び第１熱交換器１０の一部を前側から覆っている。また、第１熱交換器１０は、少なくとも１つの熱交換部を有している。そして、閉塞部材５０の上端５２は、第１熱交換器１０の熱交換部のうちで最も前側に配置された熱交換部の下端の前端よりも高い。
【００４６】  本実施の形態１に係る空気調和機の室内機１００においては、第１熱交換器１０の撥水度合いが増加し、第１熱交換器１０を伝って落下する露６０が第２熱交換器２０の前方へ飛び出そうとしても、当該露６０は、閉塞部材５０にぶつかる。そして、閉塞部材５０にぶつかった露６０は、閉塞部材５０を伝って流れ落ちて第２熱交換器２０に渡り、第２熱交換器２０に付着する。そして、第２熱交換器２０に付着した露６０は、第２熱交換器２０を伝って流れ落ち、該第２熱交換器２０の下方に配置されたドレンパン７に排出される。したがって、本実施の形態１に係る空気調和機の室内機１００は、第１熱交換器１０の撥水度合いが増加した場合でも、露飛びを従来よりも抑制できる。
【００４７】実施の形態２．  閉塞部材５０の形状は、実施の形態１で示した形状に限定されるものではない。例えば、閉塞部材５０の形状を、本実施の形態２で示すような形状としてもよい。なお、本実施の形態２において、特に記述しない項目については実施の形態１と同様とし、実施の形態１と同一の機能及び構成については同一の符号を用いて述べることとする。
【００４８】  図１０は、本発明の実施の形態２に係る空気調和機の室内機の内部構造を側方から見た図である。なお、図１０では、紙面左側が室内機１００の正面側となる。  本実施の形態２では、閉塞部材５０の閉塞部５１における上端５２を含む一部の範囲は、上方へ向かうにしたがって後方へ傾斜している。すなわち、閉塞部材５０の閉塞部５１の上部部分は、上方へ向かうにしたがって後方へ傾斜している。例えば、閉塞部材５０の閉塞部５１における上端５２を含む一部の範囲は、第１熱交換器１０の前面に沿うように、上方へ向かうにしたがって後方へ傾斜している。
【００４９】  このように閉塞部材５０を構成した場合、第１熱交換器１０を伝って落下する露６０は、第１熱交換器１０から飛び出す前に、閉塞部５１の上部部分の下方を流れることとなる。このため、本実施の形態２に係る閉塞部材５０は、実施の形態１で示した閉塞部材５０と比べ、第１熱交換器１０から飛び出した露６０が閉塞部材５０を飛び越えることをより抑制できる。したがって、本実施の形態２に係る室内機１００は、露飛びを実施の形態１よりも抑制できる。
【符号の説明】
【００５０】  １  筐体、２  吸込口、３  吹出口、４  ファン、５  室内熱交換器、６  ケーシング、７  ドレンパン、１０  第１熱交換器、１１  第１熱交換部、１２  第２熱交換部、１３  下端、１４  前端、１５  第１伝熱フィン、１６  第１伝熱管、２０  第２熱交換器、２１  第２伝熱フィン、２２  第２伝熱管、３０  第３熱交換器、５０  閉塞部材、５１  閉塞部、５２  上端、５３  下端、５５  爪部、５６  第１爪部、５６ａ  爪、５６ｂ  爪、５７  第２爪部、５７ａ  爪、５７ｂ  爪、６０  露、１００  室内機、１５０  シール部材（従来）、１５２  上端（従来）。
【図１】
2019180818.tif 000003
【図２】
2019180818.tif 000004
【図３】
2019180818.tif 000005
【図４】
2019180818.tif 000006
【図５】
2019180818.tif 000007
【図６】
2019180818.tif 000008
【図７】
2019180818.tif 000009
【図８】
2019180818.tif 000010
【図９】
2019180818.tif 000011
【図１０】
2019180818.tif 000012
【手続補正書】
【提出日】令和2年7月8日(2020.7.8)
【手続補正１】
【補正対象書類名】明細書
【補正対象項目名】０００７
【補正方法】変更
【補正の内容】
【０００７】
本発明に係る空気調和機の室内機は、前方へ向かって下側へ傾く第１熱交換器と、前記第１熱交換器の下方に設けられた第２熱交換器と、前記第２熱交換器の下方に設けられたドレンパンと、前記第１熱交換器と前記第２熱交換器との間、及び前記第１熱交換器の一部と前記第２熱交換器の一部を前側から覆う閉塞部材と、を備え、前記第１熱交換器は、少なくとも１つの熱交換部を有し、前記熱交換部は、左右方向に間隔を空けて並べられた複数の第１伝熱フィンと、前記複数の第１伝熱フィンを貫通する複数の第１伝熱管と、を備え、前記閉塞部材の上端は、最も前側に配置された前記熱交換部の下端の前端よりも高く、最も前側に配置された前記熱交換部において前記複数の第１伝熱管のうち最も下方に配置された第１伝熱管よりも高く位置し、前記第２熱交換器は、前記左右方向に間隔を空けて並べられた複数の第２伝熱フィンと、前記複数の第２伝熱フィンを貫通する複数の第２伝熱管と、を備え、前記閉塞部材は、前記複数の第１伝熱管及び前記複数の第２伝熱管のうちの少なくとも２つに引っ掛かり、該閉塞部材を固定する爪部を備えている。
【手続補正２】
【補正対象書類名】特許請求の範囲
【補正対象項目名】全文
【補正方法】変更
【補正の内容】
【特許請求の範囲】
【請求項１】
前方へ向かって下側へ傾く第１熱交換器と、
前記第１熱交換器の下方に設けられた第２熱交換器と、
前記第２熱交換器の下方に設けられたドレンパンと、
前記第１熱交換器と前記第２熱交換器との間、及び前記第１熱交換器の一部と前記第２熱交換器の一部を前側から覆う閉塞部材と、
を備え、
前記第１熱交換器は、少なくとも１つの熱交換部を有し、
前記熱交換部は、
左右方向に間隔を空けて並べられた複数の第１伝熱フィンと、
前記複数の第１伝熱フィンを貫通する複数の第１伝熱管と、
を備え、
前記閉塞部材の上端は、最も前側に配置された前記熱交換部の下端の前端よりも高く、最も前側に配置された前記熱交換部において前記複数の第１伝熱管のうち最も下方に配置された第１伝熱管よりも高く位置し、
前記第２熱交換器は、
前記左右方向に間隔を空けて並べられた複数の第２伝熱フィンと、
前記複数の第２伝熱フィンを貫通する複数の第２伝熱管と、
を備え、
前記閉塞部材は、前記複数の第１伝熱管及び前記複数の第２伝熱管のうちの少なくとも２つに引っ掛かり、該閉塞部材を固定する爪部を備えている
空気調和機の室内機。
【請求項２】
前記閉塞部材は、樹脂及び金属のうちの少なくとも一方で形成されている請求項１に記載の空気調和機の室内機。
【請求項３】
前記閉塞部材における前記上端を含む一部の範囲は、上方へ向かうにしたがって後方へ傾斜している請求項１又は請求項２に記載の空気調和機の室内機。
【国際調査報告】
2019180818.tif 000013
2019180818.tif 000014
2019180818.tif 000015
2019180818.tif 000016